(57)【要約】【課題】容易に、広範な通信ネットワークを介して通信を行うことができる照明装置を提供する。【解決手段】本発明の一態様に係る照明装置１１１は、空間を照らすための照明装置であって、記録媒体２２０に対して割り当てられた無線通信用の固有の識別情報が記録された記録媒体２２０における識別情報を用いて無線通信を行う通信部２１０を備える照明装置である。【選択図】図２
2016170987.tif 000002
【特許請求の範囲】
【請求項１】
空間を照らすための照明装置であって、
記録媒体に対して割り当てられた無線通信用の固有の識別情報が記録された前記記録媒体における前記識別情報を用いて無線通信を行う通信部を備える
照明装置。
【請求項２】
前記記録媒体は、ＳＩＭ（Ｓｕｂｓｃｒｉｂｅｒ  Ｉｄｅｎｔｉｔｙ  Ｍｏｄｕｌｅ）カードであり、
前記通信部は、前記ＳＩＭカードにおける前記識別情報を用いて無線通信を行う
請求項１に記載の照明装置。
【請求項３】
前記照明装置は、さらに、前記記録媒体が取り外し可能に取り付けられる取り付け部を備え、
前記通信部は、前記取り付け部に取り付けられた前記記録媒体における前記識別情報を用いて無線通信を行う
請求項１または２に記載の照明装置。
【請求項４】
前記照明装置は、さらに、共通の電源を用いて稼動し、前記空間を照らす照明部を備え、
前記通信部は、前記共通の電源を用いて稼動する
請求項１〜３のいずれか１項に記載の照明装置。
【請求項５】
前記照明装置は、さらに、前記共通の電源として用いられる電池を備える
請求項４に記載の照明装置。
【請求項６】
前記照明装置は、さらに、消費電力を抑制するための指令情報を前記通信部が受信した場合、前記共通の電源を前記照明装置の外部の電源から前記電池へ切り替える切り替え部を備える
請求項５に記載の照明装置。
【請求項７】
前記照明装置は、さらに、情報を検出する検出部を備え、
前記通信部は、前記検出部で検出された情報を無線通信によって送信する
請求項１〜６のいずれか１項に記載の照明装置。
【請求項８】
前記通信部は、前記記録媒体における前記識別情報を用いて第１通信装置と無線通信を行い、かつ、前記記録媒体における前記識別情報を用いずに第２通信装置と無線通信を行うことにより、前記第１通信装置と前記第２通信装置との間の通信を中継する
請求項１〜７のいずれか１項に記載の照明装置。
【請求項９】
前記通信部は、前記記録媒体における前記識別情報を用いずに、無線ＬＡＮ（Ｌｏｃａｌ  Ａｒｅａ  Ｎｅｔｗｏｒｋ）で、前記第２通信装置と無線通信を行う
請求項８に記載の照明装置。
【請求項１０】
前記通信部は、前記第１通信装置から消費電力を抑制するための指令情報を受信した場合、前記第２通信装置へ前記指令情報を送信する
請求項８または９に記載の照明装置。
【請求項１１】
空間を照らすための照明装置が行う、照明装置の動作方法であって、
記録媒体に対して割り当てられた無線通信用の固有の識別情報が記録された前記記録媒体における前記識別情報を用いて、無線通信を行う
照明装置の動作方法。
【発明の詳細な説明】
【技術分野】
【０００１】
本発明は、空間を照らすための照明装置等に関する。
【背景技術】
【０００２】
従来、照明器具またはランプ等のような照明装置が通信を行う場合がある。例えば、特許文献１に記載の照明器具は、通信を行う照明装置の例である。
【０００３】
具体的には、特許文献１に記載の照明器具は、送信器としてのリモコン装置からの無線信号を受信し、受信した信号に応じて光源部を制御するように構成されている。リモコン装置は、押圧状態となったことによって第１の信号を送信し、押圧状態が解除されたことによって第２の信号を送信する。これにより、無線によって照明器具の点消灯制御および調光制御が行われる。
【先行技術文献】
【特許文献】
【０００４】
【特許文献１】特開２０１１−２１６３１４号公報
【発明の概要】
【発明が解決しようとする課題】
【０００５】
しかしながら、照明装置がインターネットのような広範な通信ネットワークを介して通信を行うことが困難な場合がある。具体的には、このような広範な通信ネットワークを介して通信を行うための設備を準備し、その設備の設定を行うことが困難な場合がある。そのため、照明装置が他の装置と通信することが困難な場合がある。
【０００６】
そこで、本発明は、容易に、広範な通信ネットワークを介して通信を行うことができる照明装置等を提供することを目的とする。
【課題を解決するための手段】
【０００７】
上記目的を達成するために、本発明の一態様に係る照明装置は、空間を照らすための照明装置であって、記録媒体に対して割り当てられた無線通信用の固有の識別情報が記録された前記記録媒体における前記識別情報を用いて無線通信を行う通信部を備える。
【０００８】
また、本発明の一態様に係る照明装置の動作方法は、空間を照らすための照明装置が行う、照明装置の動作方法であって、記録媒体に対して割り当てられた無線通信用の固有の識別情報が記録された前記記録媒体における前記識別情報を用いて、無線通信を行う。
【発明の効果】
【０００９】
本発明の一態様に係る照明装置等は、容易に、広範な通信ネットワークを介して通信を行うことができる。
【図面の簡単な説明】
【００１０】
【図１】本発明の実施の形態における通信システムを示す模式図
【図２】本発明の実施の形態における照明装置の基本的な構成を示すブロック図
【図３】本発明の実施の形態における照明装置の具体的な構成を示すブロック図
【図４】本発明の実施の形態における照明装置を示す外観図
【図５】本発明の実施の形態における他の照明装置の具体的な構成を示すブロック図
【図６】本発明の実施の形態における照明装置の第１動作例を示すフローチャート
【図７】本発明の実施の形態における照明装置の第２動作例を示すフローチャート
【図８】本発明の実施の形態における照明装置の第３動作例を示すフローチャート
【図９】本発明の実施の形態における照明装置の第４動作例を示すフローチャート
【図１０】本発明の実施の形態における通信システムの第１動作例を示すシーケンス図
【図１１】本発明の実施の形態における通信システムの第２動作例を示すシーケンス図
【図１２】本発明の実施の形態における通信システムの第３動作例を示すシーケンス図
【図１３】本発明の実施の形態における照明装置の第１変形例を示す外観図
【図１４】本発明の実施の形態における照明装置の第２変形例を示す外観図
【図１５】本発明の実施の形態における照明装置の第３変形例を示す外観図
【図１６】本発明の実施の形態における通信システムの変形例を示す外観図
【発明を実施するための形態】
【００１１】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、動作の順序等は、一例であり、本発明を限定する主旨ではない。また、以下の実施の形態における構成要素のうち、最上位概念を示す独立請求項に記載されていない構成要素は、任意の構成要素として説明される。
【００１２】
また、以下の説明における構成要素等に対して、表現上、第１、第２および第３などの序数が、付け加えられてもよいし、付け替えられてもよいし、取り除かれてもよい。また、以下の説明では、無線通信の技術が利用される通信を無線通信と呼ぶ。すなわち、部分的に有線通信が利用される場合であっても、無線通信を含み、無線通信の技術が利用される通信は、無線通信として記載される場合がある。また、照明装置は、空間を照らす機能を主機能として有する装置である。
【００１３】
（実施の形態）
上述した通り、従来、照明装置がインターネットのような広範な通信ネットワークを介して通信を行うことが困難な場合がある。具体的には、このような広範な通信ネットワークを介して通信を行うための設備を準備し、その設備の設定を行うことが困難な場合がある。そのため、照明装置が他の装置と通信することが困難な場合がある。
【００１４】
また、従来、照明装置は、空間を照らすだけではなく、人感センサー等のセンサーを備える場合がある。しかし、照明装置が備えるセンサーで得られた情報は、その照明装置での利用に留まり、十分に活用されていない。
【００１５】
また、従来、照明装置は、人がいる場所に設置されているが、その場所を照らすこと以外の価値をあまり提供していない。一方で、その場所において通信ネットワークを利用することが可能な環境が構築されておらず、その場所にいる人が携帯端末またはウェアラブル端末を有していても通信ネットワークを利用することができない場合がある。
【００１６】
本実施の形態における照明装置は、容易に、広範な通信ネットワークを介して通信を行うことができる。これにより、照明装置は、様々な情報システムのための基盤を提供することができる。また、照明のための電源設備を通信にも利用することで、通信のための環境を容易に構築することが可能である。
【００１７】
以下において、まず、図１〜５を用いて、本実施の形態における照明装置、および、本実施の形態における照明装置を含む通信システムなどの構成を説明する。
【００１８】
図１は、本実施の形態における照明装置を含む通信システムを示す模式図である。図１には、照明装置１１１〜１１４、基地局１０１、通信ネットワーク１０２、サーバ装置１０３、施設１０４、リモコン（リモートコントローラ）１２１、テレビ（テレビジョン受像機）１２２、および、エアコン（エアーコンディショナ）１２３が示されている。
【００１９】
例えば、通信システム１１０は、照明装置１１１〜１１４、基地局１０１、サーバ装置１０３、リモコン１２１、テレビ１２２、および、エアコン１２３を含む。あるいは、通信システム１１０は、これらの構成要素のうちの一部を含んでもよい。また、基地局１０１、通信ネットワーク１０２、および、サーバ装置１０３は、施設１０４の外部に配置されており、照明装置１１１〜１１４、リモコン１２１、テレビ１２２、および、エアコン１２３は、施設１０４の内部に配置されている。
【００２０】
基地局１０１は、通信ネットワーク１０２に接続された設備であり、かつ、携帯電話またはスマートフォン等と無線通信を行う設備である。すなわち、基地局１０１は、通信ネットワーク１０２と携帯電話等との間において通信の中継を行う。基地局１０１は、携帯電話またはスマートフォン等が、無線ＬＡＮ（Ｌｏｃａｌ  Ａｒｅａ  Ｎｅｔｗｏｒｋ）でアクセス可能な範囲を超えて、音声またはデータの通信を行う場合に利用される。
【００２１】
例えば、携帯電話またはスマートフォン等は、遠隔地の通信装置等と音声またはデータの通信を行う場合、基地局１０１に無線によってアクセスする。そして、携帯電話等は、基地局１０１および通信ネットワーク１０２を介して、遠隔地の通信装置等と通信を行う。
【００２２】
また、携帯電話等が、基地局１０１および通信ネットワーク１０２を介して、遠隔地の通信装置等と通信を行う際、無線通信用の固有の識別情報が割り当てられ記録された記録媒体が利用される。具体的には、ＳＩＭ（Ｓｕｂｓｃｒｉｂｅｒ  Ｉｄｅｎｔｉｔｙ  Ｍｏｄｕｌｅ）カードと呼ばれるＩＣ（Ｉｎｔｅｇｒａｔｅｄ  Ｃｉｒｃｕｉｔ）カードが利用される。
【００２３】
また、本実施の形態における識別情報は、記録媒体に固有の識別情報である。すなわち、識別情報は、記録媒体毎に異なる。また、識別情報は、上記の通り記録媒体に割り当てられる。したがって、識別情報は、通信部に割り当てられるアドレスとは異なっていてもよい。そして、識別情報によって、記録媒体、および、記録媒体が取り付けられた携帯電話等が、一意に識別される。
【００２４】
具体的には、識別情報は、利用者に一意に付与されるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を含んでもよい。また、識別情報は、ＩＣカードに一意に付与されるＩＣＣＩＤ（Ｉｎｔｅｇｒａｔｅｄ  Ｃｉｒｃｕｉｔ  Ｃａｒｄ  Ｉｄｅｎｔｉｆｉｅｒ）を含んでもよい。また、識別情報は、電話番号であるＭＳＩＳＤＮ（Ｍｏｂｉｌｅ  Ｓｔａｔｉｏｎ  Ｉｎｔｅｒｎａｔｉｏｎａｌ  Ｓｕｂｓｃｒｉｂｅｒ  Ｄｉｒｅｃｔｏｒｙ  Ｎｕｍｂｅｒ）を含んでもよい。
【００２５】
例えば、携帯電話等が基地局１０１および通信ネットワーク１０２を介して遠隔地の通信装置等と通信を行う際、携帯電話等に取り付けられたＳＩＭカードに記録された識別情報が確認される。具体的には、基地局１０１、あるいは、基地局１０１に接続された管理装置が、ＳＩＭカードに記録された識別情報を携帯電話等から受信し、受信した識別情報に従って、通信の許否を決定する。
【００２６】
より具体的には、受信した識別情報と契約者の識別情報とが照合される。そして、これらの識別情報が一致する場合、通信が許容され、これらの識別情報が一致しない場合、通信が拒否される。すなわち、携帯電話等は、ＳＩＭカードに記録された識別情報を基地局１０１へ送信し、認証を受けることにより、基地局１０１および通信ネットワーク１０２を介して遠隔地の通信装置等と通信を行うことができる。
【００２７】
なお、上記の説明では携帯電話等が用いられているが、本実施の形態では照明装置１１１が携帯電話等と同様に用いられる。
【００２８】
通信ネットワーク１０２は、通信を行うためのネットワークである。通信ネットワーク１０２は、音声の通信（通話）を行うためのネットワークを含んでもよいし、音声以外のデータの通信を行うためのネットワークを含んでもよい。また、通信ネットワーク１０２は、インターネットを含んでもよい。通信ネットワーク１０２は、基本的には、有線のネットワークである。
【００２９】
サーバ装置１０３は、通信ネットワーク１０２に接続された通信装置であって、通信ネットワーク１０２を介して通信可能な通信装置である。例えば、サーバ装置１０３は、基地局１０１および通信ネットワーク１０２を介して、情報を受信したり、情報を送信したりする。
【００３０】
より具体的な例として、サーバ装置１０３は、デマンドレスポンスのための動作を行う。すなわち、サーバ装置１０３は、電力の需要に対する供給に余裕がなくなった場合、通信ネットワーク１０２および基地局１０１を介して、電力の消費を抑制するための指令情報を照明装置１１１に送信する。これにより、サーバ装置１０３は、電力消費の抑制を促し、需給のバランスを調整することができる。
【００３１】
また、別の具体例として、サーバ装置１０３は、照明装置１１１で検出された情報を照明装置１１１から基地局１０１および通信ネットワーク１０２を介して受信する。サーバ装置１０３は、受信した情報が施設１０４における異常を示す場合、防災事業者または防犯事業者などへ異常を通報する。これにより、サーバ装置１０３は、施設１０４における安全な環境の維持に貢献することができる。
【００３２】
施設１０４は、需要者の家などである。施設１０４は、商用の事務所などでもよいし、その他の建物でもよい。
【００３３】
照明装置１１１は、空間を照らすための照明装置であり、空間を照らす機能を主機能として有する。具体的には、照明装置１１１は、施設１０４における部屋を光で照らす。すなわち、照明装置１１１は、空間を照らすための明るさを提供する。
【００３４】
例えば、照明装置１１１は、１００ルーメン以上の明るさを提供することにより、人が周辺の状況を認識することが可能な明るさを提供する。なお、１００ルーメン以上の明るさは、明るさの例であって、照明装置１１１が提供する明るさは、１００ルーメン以上の明るさに限られない。
【００３５】
また、照明装置１１１は、携帯電話等と同様に、無線通信用の記録媒体を利用して、基地局１０１および通信ネットワーク１０２を介して、サーバ装置１０３にアクセスし、サーバ装置１０３と通信する。
【００３６】
具体的には、照明装置１１１は、通信ネットワーク１０２を介して通信を行う際、第３世代移動通信システム（３Ｇ）または第４世代移動通信システム（４Ｇ）等のような移動通信システムで利用される通信規格を利用する。より具体的には、照明装置１１１は、ＩＭＴ−２０００またはＩＭＴ−Ａｄｖａｎｃｅｄ等を通信規格として利用する。
【００３７】
なお、ＩＭＴ−２０００は、Ｉｎｔｅｒｎａｔｉｏｎａｌ  Ｍｏｂｉｌｅ  Ｔｅｌｅｃｏｍｍｕｎｉｃａｔｉｏｎｓ−２０００とも表現される。また、ＩＭＴ−Ａｄｖａｎｃｅｄは、Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄとも表現される。
【００３８】
また、照明装置１１１は、無線ＬＡＮで、他の照明装置１１２〜１１４、リモコン１２１、テレビ１２２、および、エアコン１２３と通信する。
【００３９】
例えば、無線ＬＡＮには、通信規格として、ＩＥＥＥ８０２．１１、より具体的には、Ｗｉ−Ｆｉ（登録商標）が用いられる。照明装置１１１は、その他の通信規格に基づいて、他の照明装置１１２〜１１４、リモコン１２１、テレビ１２２、および、エアコン１２３と通信してもよい。例えば、通信規格として、ＩＥＥＥ８０２．１５．１、より具体的には、Ｂｌｕｅｔｏｏｔｈ（登録商標）が用いられてもよい。また、照明装置１１１とリモコン１２１との間の通信には、赤外線通信が用いられてもよい。
【００４０】
照明装置１１１は、他の照明装置１１２〜１１４、リモコン１２１、テレビ１２２、および、エアコン１２３と通信することにより、これらの間の通信を中継する中継装置の役割を果たしてもよい。また、照明装置１１１は、照明装置１１１〜１１４、リモコン１２１、テレビ１２２、および、エアコン１２３が相互に通信を行うための通信環境を構築してもよい。このような通信環境は、ホームネットワークとも呼ばれる。
【００４１】
さらに、照明装置１１１は、他の照明装置１１２〜１１４、リモコン１２１、テレビ１２２、および、エアコン１２３のそれぞれと、サーバ装置１０３との間の通信を中継してもよい。すなわち、照明装置１１１は、ホームゲートウェイとして動作してもよい。
【００４２】
他の照明装置１１２〜１１４は、照明装置１１１と同様に、空間を照らすための照明装置であり、空間を照らす機能を主機能として有する。具体的には、他の照明装置１１２〜１１４のそれぞれは、施設１０４における部屋を光で照らす。また、他の照明装置１１２〜１１４は、無線ＬＡＮで、照明装置１１１と通信する。さらに、他の照明装置１１２〜１１４のそれぞれは、無線ＬＡＮで、施設１０４内の他の装置と通信してもよい。
【００４３】
また、他の照明装置１１２〜１１４は、無線通信用の記録媒体を直接利用するための構造を有していない。したがって、他の照明装置１１２〜１１４は、照明装置１１１を介して、通信ネットワーク１０２等にアクセスする。
【００４４】
リモコン１２１は、照明装置１１１の動作を制御するためのリモコンである。具体的には、リモコン１２１は、無線ＬＡＮで、照明装置１１１と通信する。そして、リモコン１２１は、照明装置１１１を動作させる。例えば、リモコン１２１は、照明装置１１１の点灯または消灯を行ってもよいし、調光を行ってもよいし、調色を行ってもよい。さらに、リモコン１２１は、照明装置１１１と基地局１０１との間の無線通信を開始させてもよいし、停止させてもよい。
【００４５】
リモコン１２１は、赤外線通信によって、照明装置１１１の動作を制御してもよい。この場合、リモコン１２１は、照明装置１１１に対して無線ＬＡＮの通信を有効または無効に切り替えてもよい。そして、リモコン１２１は、照明装置１１１に対して、照明の動作、基地局１０１との通信の動作、および、無線ＬＡＮの通信の動作をそれぞれ独立して制御してもよい。
【００４６】
テレビ１２２およびエアコン１２３は、それぞれ、施設１０４に設置された家電である。テレビ１２２およびエアコン１２３は、それぞれ、無線ＬＡＮで、照明装置１１１と通信する。さらに、テレビ１２２およびエアコン１２３のそれぞれは、無線ＬＡＮで、施設１０４内の他の装置と通信してもよい。
【００４７】
図２は、図１に示された照明装置１１１の基本的な構成を示すブロック図である。図２に示された照明装置１１１は、通信部２１０を備える。通信部２１０は、例えば、無線通信のためのアンテナを含み、記録媒体２２０を利用して無線通信を行う。記録媒体２２０は、上記において説明された記録媒体であって、無線通信用の固有の識別情報が記録された記録媒体である。例えば、記録媒体２２０は、ＳＩＭカードと呼ばれるＩＣカードである。
【００４８】
通信部２１０は、無線通信を行うための追加の設定が新たに行われなくても、携帯電話等と同様に、無線通信用の記録媒体２２０を利用することにより、基地局１０１にアクセスすることができる。そして、通信部２１０は、基地局１０１および通信ネットワーク１０２を介して、サーバ装置１０３と通信することができる。すなわち、照明装置１１１は、上記の構成を備えることにより、容易に、広範な通信ネットワーク１０２を介して通信を行うことができる。
【００４９】
図３は、図２に示された照明装置１１１の具体的な構成を示すブロック図である。図３には、図２に示された照明装置１１１に対して、それぞれ任意に追加可能な複数の構成要素が示されている。具体的には、図３に示された照明装置１１１は、充放電部２０１、電池２０２、切り替え部２０３、制御部２０４、検出部２０５、取り付け部２０６、照明部２０７、および、通信部２１０を備える。そして、通信部２１０は、エリア外通信部２１１、および、エリア内通信部２１２を備える。
【００５０】
また、図３には、電源３００、通信装置（第１通信装置）３０１、通信装置（第２通信装置）３０２、および、記録媒体２２０が示されている。
【００５１】
充放電部２０１は、電池２０２を充電または放電させる構成部である。具体的には、充放電部２０１は、電源３００から供給される電力を電池２０２に供給することにより、電池２０２を充電させる。また、充放電部２０１は、照明部２０７等に電力を供給するため、電池２０２を放電させる。充放電部２０１は、制御部２０４が行う制御等に従って、電池２０２を充電させる動作と、電池２０２を放電させる動作とを適応的に切り替えてもよい。
【００５２】
電池２０２は、照明部２０７等に電力を供給するための電池である。例えば、電池２０２は、照明部２０７および通信部２１０等が稼動するための共通の電源として用いられる。また、本実施の形態では、電池２０２は、充放電可能な二次電池として示されている。しかし、電池２０２は、放電のみが可能な一次電池でもよい。この場合、充放電部２０１は、照明装置１１１に含まれなくてもよい。
【００５３】
また、電池２０２は、例えば、３０分以上、照明部２０７および通信部２１０等を動作させることが可能なエネルギー容量を有する。これにより、電池２０２は、３０分以上、照明部２０７および通信部２１０等に電力を供給することができるため、電力需要が大きい時間帯におけるピークカットに電池２０２を利用することが可能である。また、電池２０２は、電源３００の停電時に利用されてもよい。これにより、電源３００の停電時においても、照明および通信が可能になる。
【００５４】
切り替え部２０３は、通信部２１０および照明部２０７等に電力を供給する共通の電源を外部の電源３００と内部の電池２０２との間で切り替えるスイッチである。例えば、切り替え部２０３は、制御部２０４が行う制御に従って、共通の電源を電源３００と電池２０２との間で切り替える。
【００５５】
具体的には、ピークカットが行われる場合、または、外部の電源３００について停電が発生した場合、充放電部２０１は、電池２０２を放電させる。そして、切り替え部２０３は、外部の電源３００から内部の電池２０２へ共通の電源を切り替える。これにより、通信部２１０および照明部２０７等へ電池２０２から電力が供給される。
【００５６】
制御部２０４は、照明装置１１１が備える各構成要素の動作を制御するコントローラである。すなわち、制御部２０４は、照明装置１１１の各構成要素を動作させる。例えば、制御部２０４は、切り替え部２０３、通信部２１０および照明部２０７の動作を制御する。さらに、制御部２０４は、充放電部２０１、検出部２０５および取り付け部２０６の動作を制御してもよい。
【００５７】
検出部２０５は、情報を検出する構成部である。検出部２０５は、情報を検出するセンサーでもよい。あるいは、検出部２０５は、センサーから情報を取得することにより、情報を検出してもよい。また、検出部２０５は、通信装置３０２から通信部２１０を介して情報を取得することにより、情報を検出してもよい。
【００５８】
取り付け部２０６は、記録媒体２２０を取り付けるための構成部である。例えば、記録媒体２２０は、取り付け部２０６に対して、取り外し可能に取り付けられる。取り付け部２０６は、記録媒体２２０に記憶された識別情報の読み取りを行う読み取り部を含んでもよい。このような読み取り部は、制御部２０４、通信部２１０またはエリア外通信部２１１に含まれてもよい。また、記録媒体２２０が照明装置１１１に内蔵されている場合、照明装置１１１は取り付け部２０６を備えていなくてもよい。
【００５９】
照明部２０７は、空間を照らす構成部である。例えば、照明部２０７は、ＬＥＤ（発光ダイオード）、蛍光灯または白熱灯などの光源を含む。また、照明部２０７は、制御部２０４が行う制御に従って、光源の点灯または消灯を行う。さらに、照明部２０７は、制御部２０４が行う制御に従って、光源の調光を行ってもよいし、光源の調色を行ってもよい。
【００６０】
エリア外通信部２１１は、取り付け部２０６に取り付けられた記録媒体２２０に記録された識別情報を用いて、無線通信を行う構成部である。具体的には、エリア外通信部２１１は、基地局１０１および通信ネットワーク１０２を介して、施設１０４の外部の通信装置である通信装置３０１と通信する。その際、エリア外通信部２１１は、記録媒体２２０に記録された識別情報を用いて、認証を得る。これにより、基地局１０１および通信ネットワーク１０２を介した通信が許容される。
【００６１】
エリア内通信部２１２は、記録媒体２２０に記録された識別情報を用いずに、無線通信を行う構成部である。例えば、エリア内通信部２１２は、無線ＬＡＮで、施設１０４の内部の通信装置である通信装置３０２と通信する。
【００６２】
電源３００は、照明装置１１１の外部の電源である。例えば、電源３００は、電力会社が所有する商用の電力系統である。電源３００は、照明装置１１１に対して、電力を供給する。照明装置１１１の照明部２０７および通信部２１０等は、電源３００を共通の電源として利用することができる。また、電源３００から照明装置１１１への給電と非給電とは、図示しないスイッチなどによって切り替え可能でもよい。
【００６３】
また、電源３００は、他の照明装置１１２〜１１４、テレビ１２２、および、エアコン１２３等に対しても、電力を供給する。
【００６４】
通信装置３０１は、施設１０４の外部の通信装置であり、例えば、サーバ装置１０３である。通信装置３０１は、通信ネットワーク１０２および基地局１０１を介して、照明装置１１１と通信する。通信装置３０１は、他の記録媒体に記録された他の識別情報を用いて、無線で基地局１０１または他の基地局にアクセスし、通信ネットワーク１０２を介して照明装置１１１と通信してもよい。例えば、通信装置３０１は、携帯電話またはスマートフォン等でもよい。以下、通信装置３０１をエリア外の通信装置と呼ぶ場合がある。
【００６５】
通信装置３０２は、施設１０４内の通信装置であり、例えば、他の照明装置１１１〜１１４、リモコン１２１、テレビ１２２、および、エアコン１２３のいずれかである。通信装置３０２は、無線ＬＡＮで、照明装置１１１と通信する。以下、通信装置３０２をエリア内の通信装置と呼ぶ場合がある。
【００６６】
図４は、図３に示された照明装置１１１を示す外観図である。図４に示された照明装置１１１では、引っ掛け部分の付近に取り付け部２０６が設けられている。記録媒体２２０は、取り付け部２０６に挿入されることにより取り付けられる。照明装置１１１は、取り付け部２０６に挿入されることにより取り付けられた記録媒体２２０を利用して無線通信を行う。
【００６７】
取り付け部２０６は、図４の例に限られず、その他の位置に設けられてもよい。例えば、光源の付近に設けられてもよい。また、記録媒体２２０は、取り付け部２０６への挿入に限らず、取り付け部２０６に載置されることによって取り付けられてもよい。
【００６８】
また、図１および図４等に示された照明装置１１１は、光源が天井から吊り下げられるペンダントライトであるが、照明装置１１１は、光源が天井の付近に固定されるシーリングライトでもよい。あるいは、照明装置１１１は、スタンドライト（電気スタンド）でもよい。
【００６９】
図５は、図１に示された他の照明装置１１２の具体的な構成を示すブロック図である。図５に示された照明装置１１２は、充放電部４０１、電池４０２、切り替え部４０３、制御部４０４、検出部４０５、照明部４０７、通信部４１０、および、エリア内通信部４１２を備える。これらの構成要素は、図３に示された充放電部２０１、電池２０２、切り替え部２０３、制御部２０４、検出部２０５、照明部２０７、通信部２１０、および、エリア内通信部２１２に相当する。
【００７０】
照明装置１１２は、図３に示された照明装置１１１と比較して、取り付け部２０６およびエリア外通信部２１１に相当する構成要素を有していない。そのため、照明装置１１２は、直接、基地局１０１にアクセスすることが可能な構成要素を有していない。すなわち、照明装置１１２は、直接、エリア外の通信装置３０１と通信することが可能な構成要素を有していない。
【００７１】
一方で、照明装置１１２は、無線ＬＡＮで、照明装置１１１、および、エリア内のその他の通信装置３０２と通信することができる。そして、例えば、照明装置１１１が、照明装置１１２と、エリア外の通信装置３０１との通信を中継することにより、照明装置１１２は、照明装置１１１を介して、エリア外の通信装置３０１と通信することができる。
【００７２】
次に、図６〜１２を用いて、図１等に示された照明装置１１１、および、照明装置１１１を含む通信システム１１０の動作を説明する。
【００７３】
図６は、図１等に示された照明装置１１１の第１動作例を示すフローチャートである。まず、照明装置１１１の照明部２０７は、リモコン１２１からの指示に基づいて、照明の動作を行う（Ｓ１０１）。すなわち、照明部２０７は、空間を照らす。具体的には、エリア内通信部２１２は、リモコン１２１から照明を稼動させるための信号を受け、制御部２０４は、エリア内通信部２１２が受けた信号に従って、照明部２０７を稼動させる。これにより、照明部２０７は、空間を照らす。
【００７４】
なお、空間を照らす動作は、図６に示されたタイミングに限らず、別のタイミングに行われてもよい。例えば、照明部２０７は、リモコン１２１等から指示を受けた任意のタイミングで、空間を照らす。また、例えば、照明部２０７は、指示を受けなければ、空間を照らさなくてもよい。すなわち、この処理は、省略されてもよい。
【００７５】
次に、記録媒体２２０が照明装置１１１の取り付け部２０６に取り付けられる（Ｓ１０２）。なお、既に記録媒体２２０が取り付けられている場合、この処理は省略される。例えば、前回の通信時から記録媒体２２０が取り付け部２０６に取り付けられた状態のままである場合、この処理は省略される。
【００７６】
次に、照明装置１１１のエリア外通信部２１１は、取り付け部２０６に取り付けられた記録媒体２２０に記録された識別情報を用いて、エリア外の通信装置３０１と無線通信を行う（Ｓ１０３）。
【００７７】
照明装置１１１は、上記の動作によって、容易に、広範な通信ネットワーク１０２を介して通信を行うことができる。また、基本的に、照明部２０７および通信部２１０は、電源３００または電池２０２を共通の電源として用いて稼動する。したがって、電源設備の増加が抑制される。また、通信のための電力消費は、照明のための電力消費に比べて小さいと想定される。したがって、照明のための電源３００または電池２０２が通信に用いられることで生じる弊害は小さいと想定される。
【００７８】
照明装置１１１は、広範な通信ネットワーク１０２を介して通信装置３０１と通信を行うことにより、様々な役割を果たすことができる。図７〜９のそれぞれは、その具体例を照明装置１１１の動作例として示す。
【００７９】
図７は、図１等に示された照明装置１１１の第２動作例を示すフローチャートである。例えば、図６の例と同様に、照明装置１１１のエリア外通信部２１１は、記録媒体２２０に記録された識別情報を用いて、エリア外の通信装置３０１と無線通信を行う（Ｓ２０１）。また、照明装置１１１のエリア内通信部２１２は、記録媒体２２０に記録された識別情報を用いずに、エリア内の通信装置３０２と無線通信を行う（Ｓ２０２）。
【００８０】
例えば、照明装置１１１の通信部２１０は、記録媒体２２０を利用する無線通信によって、エリア外の通信装置３０１から信号を受信し、記録媒体２２０を利用しない無線通信によって、エリア内の通信装置３０２へ受信した信号を送信する。また、例えば、照明装置１１１の通信部２１０は、記録媒体２２０を利用しない無線通信によって、エリア内の通信装置３０２から信号を受信し、記録媒体２２０を利用する無線通信によって、エリア外の通信装置３０１へ受信した信号を送信する。
【００８１】
これにより、照明装置１１１の通信部２１０は、エリア外の通信装置３０１とエリア内の通信装置３０２との間の無線通信を中継する。
【００８２】
図８は、図１等に示された照明装置１１１の第３動作例を示すフローチャートである。例えば、照明装置１１１のエリア外通信部２１１は、記録媒体２２０を用いる無線通信によって、エリア外の通信装置３０１から消費電力を抑制するための指令情報を受信する場合がある。そこで、照明装置１１１の制御部２０４は、エリア外通信部２１１がエリア外の通信装置３０１から消費電力を抑制するための指令情報を受信したか否かを判定する（Ｓ３０１）。
【００８３】
照明装置１１１のエリア外通信部２１１がエリア外の通信装置３０１から消費電力を抑制するための指令情報を受信した場合（Ｓ３０１でＹｅｓ）、制御部２０４は外部の電源３００から電池２０２へ共通の電源を切り替える（Ｓ３０２）。より具体的には、制御部２０４が行う制御に従って、切り替え部２０３は、外部の電源３００から電池２０２へ共通の電源を切り替える。これにより、照明装置１１１において、外部の電源３００から供給される電力の消費が抑制される。
【００８４】
また、照明装置１１１のエリア外通信部２１１がエリア外の通信装置３０１から消費電力を抑制するための指令情報を受信した場合（Ｓ３０１でＹｅｓ）、さらに、エリア内通信部２１２は、エリア内の通信装置３０２へ、その指令情報を送信する（Ｓ３０３）。
【００８５】
例えば、照明装置１１１のエリア内通信部２１２は、他の照明装置１１２へ、消費電力を抑制するための指令情報を送信する。照明装置１１２のエリア内通信部４１２は、照明装置１１１から送信された指令情報を受信する。そして、他の照明装置１１２の切り替え部４０３は、照明装置１１１の切り替え部２０３と同様に、外部の電源３００から照明装置１１２の電池４０２へ共通の電源を切り替える。これにより、他の照明装置１１２において、外部の電源３００から供給される電力の消費が抑制される。
【００８６】
また、例えば、照明装置１１１のエリア内通信部２１２は、エアコン１２３へ、消費電力を抑制するための指令情報を送信する。エアコン１２３は、照明装置１１１から送信された指令情報を受信し、通常モードよりも消費電力が小さい省電力モードで動作する。これにより、エアコン１２３において、電源３００から供給される電力の消費が抑制される。
【００８７】
照明装置１１１は、上記の動作を行うことにより、自装置において、電源３００から供給される電力の消費を抑制し、かつ、他の装置に対して、電源３００から供給される電力の消費の抑制を促進することができる。
【００８８】
図９は、図１等に示された照明装置１１１の第４動作例を示すフローチャートである。図９の例において、まず、照明装置１１１の検出部２０５は、情報を検出する（Ｓ４０１）。例えば、検出部２０５は、センサーとして動作し、情報を検出してもよい。また、検出部２０５は、センサーから情報を取得することにより、情報を検出してもよい。また、検出部２０５は、エリア内の通信装置３０２から通信部２１０を介して情報を取得することにより、情報を検出してもよい。
【００８９】
次に、照明装置１１１のエリア外通信部２１１は、記録媒体２２０に記録された識別情報を用いてエリア外の通信装置３０１と無線で通信することにより、検出部２０５で検出された情報をエリア外の通信装置３０１へ送信する（Ｓ４０２）。これにより、照明装置１１１で検出された情報が、エリア外の通信装置３０１において利用される。
【００９０】
例えば、照明装置１１１の検出部２０５は、温度、湿度、ＰＭ２．５、または、放射線等の環境情報を検出し、エリア外通信部２１１は、環境情報を送信してもよい。これにより、エリア外の通信装置３０１は、環境情報の傾向などを分析することができる。そして、エリア外の通信装置３０１は、分析結果に基づいて、照明装置１１１を介して、施設１０４におけるエアコン１２３等を動作させてもよい。
【００９１】
また、照明装置１１１の検出部２０５は、施設１０４内の人が装着しているウェアラブル端末から情報を取得することにより、情報を検出してもよい。そして、エリア外通信部２１１は、その情報を送信してもよい。より具体的には、検出部２０５は、人が装着しているウェアラブル端末から人の健康情報を検出してもよい。そして、エリア外通信部２１１は、エリア外の通信装置３０１へ健康情報を送信してもよい。これにより、エリア外の通信装置３０１は、人の健康情報を管理することができる。
【００９２】
また、照明装置１１１の検出部２０５は、イメージセンサーによって画像情報を検出してもよい。具体的には、検出部２０５は、セキュリティカメラによって画像情報を取得してもよい。そして、エリア外通信部２１１は、エリア外の通信装置３０１へ画像情報を送信してもよい。これにより、エリア外の通信装置３０１によって、施設１０４の内部の状態等を視覚的に確認することが可能である。このような通信システム１１０は、介護システムまたは見守りシステムなどに利用可能である。
【００９３】
また、上記のイメージセンサーまたはセキュリティカメラとして赤外線カメラが用いられてもよい。
【００９４】
また、照明装置１１１の検出部２０５は、マイクによって音声情報を検出してもよい。そして、エリア外通信部２１１は、エリア外の通信装置３０１へ音声情報を送信してもよい。具体的には、施設１０４における人の音声情報が検出され、エリア外の通信装置３０１へ送信されてもよい。これにより、エリア外の通信装置３０１によって、施設１０４の内部の状況を的確に把握することが可能である。
【００９５】
次に、図１０〜１２を用いて、照明装置１１１を含む通信システム１１０の動作を説明する。なお、図１０は、図６および図７を用いて照明装置１１１について説明された動作に対する通信システム１１０の動作を示す。図１１は、図８を用いて照明装置１１１について説明された動作に対する通信システム１１０の動作を示す。図１２は、図９を用いて照明装置１１１について説明された動作に対する通信システム１１０の動作を示す。以下、順に説明する。
【００９６】
図１０は、図１に示された通信システム１１０の第１動作例を示すシーケンス図である。図１０の通り、照明装置１１１は、照明を行う（Ｓ５０１）。すなわち、照明装置１１１は、空間を照らす。上述した通り、この処理は、このタイミングに限らず、別のタイミングで行われてもよいし、省略されてもよい。そして、照明装置１１１に対して、記録媒体２２０が取り付けられる（Ｓ５０２）。上述した通り、この処理は省略されてもよい。
【００９７】
そして、照明装置１１１は、記録媒体２２０に記録された識別情報を用いて、エリア外の通信装置３０１と無線通信を行う（Ｓ５０３）。また、照明装置１１１は、記録媒体２２０に記録された識別情報を用いずに、エリア内の通信装置３０２と無線通信を行う（Ｓ５０４）。これにより、照明装置１１１は、エリア外の通信装置３０１とエリア内の通信装置３０２との間の無線通信を中継する。
【００９８】
図１１は、図１に示された通信システム１１０の第２動作例を示すシーケンス図である。図１１の例では、照明装置１１１は、記録媒体２２０に記録された識別情報を用いてエリア外の通信装置３０１と無線通信を行うことにより、消費電力を抑制するための指令情報をエリア外の通信装置３０１から受信する（Ｓ６０１）。すなわち、エリア外の通信装置３０１は、消費電力を抑制するための指令情報を送信し、照明装置１１１は、送信された指令情報を受信する。
【００９９】
次に、照明装置１１１は、指令情報に従って、外部の電源３００から内部の電池２０２へ照明装置１１１の共通の電源を切り替える（Ｓ６０２）。また、照明装置１１１は、指令情報をエリア内の通信装置３０２へ送信する（Ｓ６０３）。これにより、照明装置１１１は、外部の電源３００から供給される電力の消費を抑制する。
【０１００】
図１２は、図１に示された通信システム１１０の第３動作例を示すシーケンス図である。図１２の例では、照明装置１１１は、センサー等によって情報を検出する（Ｓ７０１）。照明装置１１１は、エリア内の通信装置３０２から情報を取得することにより、情報を検出してもよい。あるいは、照明装置１１１は、照明装置１１１が備えるセンサーによって情報を検出してもよい。
【０１０１】
次に、照明装置１１１は、記録媒体２２０に記録された識別情報を用いてエリア外の通信装置３０１と無線通信を行い、検出された情報（検出情報）をエリア外の通信装置３０１へ送信する（Ｓ７０２）。
【０１０２】
これにより、照明装置１１１で検出された情報が、エリア外の通信装置３０１において利用される。
【０１０３】
次に、図１等に示された照明装置１１１の変形例、および、図１等に示された通信システム１１０の変形例を示す。
【０１０４】
図１３は、図１等に示された照明装置１１１の第１変形例を示す外観図である。図１３の例では、スタンドライトの土台部分に取り付け部２０６が設けられている。記録媒体２２０は、取り付け部２０６に挿入されることにより取り付けられる。取り付け部２０６は、図１３の例に限られず、その他の位置に設けられてもよい。例えば、光源の付近に設けられてもよい。
【０１０５】
図１４は、図１等に示された照明装置１１１の第２変形例を示す外観図である。図１４の例では、照明装置１１１の照明部２０７内に取り付け部２０６が設けられている。より具体的には、ランプ内に取り付け部２０６が設けられている。そして、記録媒体２２０は、ランプ内の取り付け部２０６に取り付けられる。そして、図３に示された照明装置１１１の各構成要素は、ランプに含まれてもよい。これにより、ランプを除く既存の照明器具をそのまま利用することが可能である。
【０１０６】
図１５は、図１等に示された照明装置１１１の第３変形例を示す外観図である。図１５の例でも、照明装置１１１の照明部２０７内に取り付け部２０６が設けられている。より具体的には、口金付ランプの口金部分に取り付け部２０６が設けられている。そして、記録媒体２２０は、口金部分の取り付け部２０６に取り付けられる。
【０１０７】
また、図３に示された照明装置１１１の各構成要素は、口金部分に含まれてもよい。図１５の例においても、図１４の例と同様に、既存の照明器具をそのまま利用することが可能である。また、取り付け部２０６および記録媒体２２０等によって配光が遮られることが抑制される。
【０１０８】
なお、図１４および図１５は、ランプの形状等の例を示しているが、ランプの形状等は、図１４および図１５に示された例に限られない。例えば、口金タイプは、図１５のようなＬ１６タイプ（Ｌ形ピン口金ＧＸ１６ｔ−５タイプ）でもよいし、Ｇ１３タイプでもよいし、Ｒ４タイプでもよい。また、図１５のような直管形が用いられてもよいし、環形（丸形または円形とも呼ばれる）が用いられてもよい。また、照明装置１１１は、ランプでもよいし、口金付ランプでもよい。
【０１０９】
さらに、図１に示された照明装置１１１〜１１４は、施設１０４に設置されている。しかし、照明装置１１１〜１１４は、施設１０４の外部に設置されてもよい。例えば、照明装置１１１〜１１４は外灯であってもよい。
【０１１０】
図１６は、図１に示された通信システム１１０の変形例を示す外観図である。図１６に示された照明装置１１１、照明装置１１２、照明装置１１３、照明装置１１４、照明装置１１５および照明装置１１６は道路を挟んで設置された外灯である。
【０１１１】
例えば、照明装置１１１〜１１６のうち照明装置１１１は、無線通信用の記録媒体２２０を利用して、通信ネットワーク１０２にアクセスし、通信ネットワーク１０２に接続されたサーバ装置１０３と通信してもよい。そして、他の照明装置１１２〜１１６は、照明装置１１１を介して、サーバ装置１０３と通信してもよい。
【０１１２】
あるいは、図１６の例において、他の照明装置１１２〜１１６は、照明装置１１１と同様に、記録媒体２２０に相当する記録媒体を利用して、通信ネットワーク１０２にアクセスし、通信ネットワーク１０２に接続されたサーバ装置１０３と通信してもよい。あるいは、他の照明装置１１２〜１１６のうち一部の照明装置が、記録媒体２２０に相当する記録媒体を利用して、通信ネットワーク１０２にアクセスし、通信ネットワーク１０２に接続されたサーバ装置１０３と通信してもよい。
【０１１３】
例えば、図１６に示された環境で、自動車等の輸送機器、または、人が携帯する携帯装置などが、照明装置１１１〜１１６を介して、通信ネットワーク１０２に接続されたサーバ装置１０３と通信してもよい。例えば、サーバ装置１０３は、照明装置１１１〜１１６を介して、輸送機器の情報を収集することにより、交通状況または混雑状況などを取得してもよい。また、サーバ装置１０３は、照明装置１１１〜１１６を介して、輸送機器に制御情報を送信することにより、輸送機器の自動運転を制御してもよい。
【０１１４】
また、サーバ装置１０３は、無線通信によって、照明装置１１１〜１１６の照明動作を制御することにより、動線誘導を行ってもよい。また、サーバ装置１０３は、照明装置１１１〜１１６を介して、広告を配信してもよい。
【０１１５】
また、図１および図１６等において、所定の場所に設置される照明装置１１１が示されている。しかし、照明装置１１１は、例えば、懐中電灯のように、携帯可能な照明装置でもよい。そして、携帯可能な照明装置１１１が、記録媒体２２０を利用して、通信ネットワーク１０２にアクセスし、通信ネットワーク１０２に接続されたサーバ装置１０３等と通信を行ってもよい。
【０１１６】
また、記録媒体２２０は、基本的には、ＳＩＭカードと呼ばれるＩＣカードであるが、ＩＣカード以外のメモリ装置でもよい。例えば、記録媒体２２０は、無線通信用の固有の識別情報が記録された磁気ディスクなどでもよい。また、無線通信用の固有の識別情報は、書き換えられないように記録媒体２２０に記録されてもよい。そのため、記録媒体２２０は、読み取り専用のメモリ装置などのように、書き換え不可のメモリ装置でもよい。
【０１１７】
以上、本発明に係る照明装置１１１等について、実施の形態に基づいて説明したが、本発明は、実施の形態に限定されない。実施の形態に対して当業者が思いつく変形を施して得られる形態、および、実施の形態における複数の構成要素を任意に組み合わせて実現される別の形態も本発明に含まれる。
【０１１８】
例えば、特定の構成要素が実行する処理を別の構成要素が実行してもよい。また、処理を実行する順番が変更されてもよいし、複数の処理が並行して実行されてもよい。
【０１１９】
また、本発明は、照明装置１１１として実現できるだけでなく、照明装置１１１を構成する各構成要素が行うステップ（処理）を含む動作方法として実現できる。
【０１２０】
例えば、それらのステップは、照明装置１１１等に含まれるコンピュータによって実行される。そして、本発明は、動作方法に含まれるそれらのステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【０１２１】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【０１２２】
また、照明装置１１１等に含まれる複数の構成要素は、それぞれ、専用または汎用の回路として実現されてもよい。これらの構成要素は、１つの回路として実現されてもよいし、複数の回路として実現されてもよい。
【０１２３】
また、照明装置１１１等に含まれる複数の構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。これらの構成要素は、個別に１チップ化されてもよいし、一部または全てを含むように１チップ化されてもよい。ＬＳＩは、集積度の違いにより、システムＬＳＩ、スーパーＬＳＩまたはウルトラＬＳＩと呼称される場合がある。
【０１２４】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１２５】
さらに、半導体技術の進歩または派生する別技術によりＬＳＩに置き換わる集積回路化の技術が登場すれば、当然、その技術を用いて、照明装置１１１等に含まれる複数の構成要素の集積回路化が行われてもよい。
【０１２６】
最後に、照明装置１１１等の複数の態様を例として示す。これらの態様は、適宜、組み合わされてもよい。また、上記の実施の形態に示された任意の構成等が追加されてもよい。
【０１２７】
（第１態様）
本発明の一態様に係る照明装置１１１は、空間を照らすための照明装置である。そして、照明装置１１１は、記録媒体２２０に対して割り当てられた無線通信用の固有の識別情報が記録された記録媒体２２０における識別情報を用いて無線通信を行う通信部２１０を備える。
【０１２８】
これにより、照明装置１１１は、複雑な設定が行われなくても、携帯電話等と同様に、記録媒体２２０を利用して無線通信を行うことができる。照明装置１１１は、容易に、広範な通信ネットワーク１０２を介して通信を行うことができる。
【０１２９】
（第２態様）
例えば、記録媒体２２０は、無線通信用のＳＩＭカードでもよい。そして、通信部２１０は、ＳＩＭカードにおける識別情報を用いて無線通信を行ってもよい。
【０１３０】
これにより、携帯電話等において利用されるＳＩＭカードが記録媒体２２０として利用される。したがって、照明装置１１１は、携帯電話等で利用されている仕組みを利用することができる。
【０１３１】
（第３態様）
例えば、照明装置１１１は、さらに、記録媒体２２０が取り外し可能に取り付けられる取り付け部２０６を備えてもよい。そして、通信部２１０は、取り付け部２０６に取り付けられた記録媒体２２０における識別情報を用いて無線通信を行ってもよい。
【０１３２】
これにより、照明装置１１１は、記録媒体２２０が取り付けられることで、容易に、広範な通信ネットワーク１０２を介して通信を行うことができる。また、記録媒体２２０が取り外し可能に取り付けられるため、照明装置１１１と記録媒体２２０とを別々に更新することが容易である。したがって、保守性および拡張性が向上する。
【０１３３】
（第４態様）
例えば、照明装置１１１は、さらに、共通の電源を用いて稼動し、空間を照らす照明部２０７を備えてもよい。そして、通信部２１０は、共通の電源を用いて稼動してもよい。
【０１３４】
これにより、照明装置１１１は、照明のための電源を通信に用いることができる。したがって、通信のための追加の構成が削減される。
【０１３５】
（第５態様）
例えば、照明装置１１１は、さらに、共通の電源として用いられる電池２０２を備えてもよい。
【０１３６】
これにより、照明装置１１１は、例えば、外部の電源３００から電力が得られない場合において、内部の電池２０２を用いて、照明および通信を行うことができる。
【０１３７】
（第６態様）
例えば、照明装置１１１は、さらに、消費電力を抑制するための指令情報を通信部２１０が受信した場合、共通の電源を照明装置１１１の外部の電源３００から電池２０２へ切り替える切り替え部２０３を備えてもよい。
【０１３８】
これにより、照明装置１１１は、指令情報に従って、外部の電源３００から供給される電力の消費を抑制しつつ、内部の電池２０２を用いて、照明および通信を行うことができる。したがって、照明装置１１１は、電力のピークカットを行うための動作を行うことができる。
【０１３９】
（第７態様）
例えば、照明装置１１１は、さらに、情報を検出する検出部２０５を備えてもよい。そして、通信部２１０は、検出部２０５で検出された情報を無線通信によって送信してもよい。
【０１４０】
これにより、照明装置１１１において検出された情報は、照明装置１１１において利用されるだけでなく、通信ネットワーク１０２を介して広く利用される。
【０１４１】
（第８態様）
例えば、通信部２１０は、記録媒体２２０における識別情報を用いて通信装置３０１と無線通信を行い、記録媒体２２０における識別情報を用いずに通信装置３０２と無線通信を行うことで、通信装置３０１と通信装置３０２との間の通信を中継してもよい。
【０１４２】
これにより、照明装置１１１は、例えば、通信ネットワーク１０２に接続された通信装置３０１と、通信ネットワーク１０２に直接アクセスするための機構を有していない通信装置３０２との間の通信を中継することができる。
【０１４３】
（第９態様）
例えば、通信部２１０は、記録媒体２２０における識別情報を用いずに、無線ＬＡＮで、通信装置３０２と無線通信を行ってもよい。
【０１４４】
これにより、照明装置１１１は、例えば、無線ＬＡＮで通信可能な通信装置３０２に対して、広範な通信ネットワーク１０２にアクセスするための環境を提供することができる。
【０１４５】
（第１０態様）
例えば、通信部２１０は、通信装置３０１から消費電力を抑制するための指令情報を受信した場合、通信装置３０２へ指令情報を送信してもよい。
【０１４６】
これにより、照明装置１１１は、指令情報に従って、電力のピークカットを行うための動作を通信装置３０２に対して促進することができる。
【０１４７】
（第１１態様）
本発明の一態様に係る照明装置１１１の動作方法は、空間を照らすための照明装置１１１が行う動作方法である。そして、照明装置１１１の動作方法では、記録媒体２２０に対して割り当てられた無線通信用の固有の識別情報が記録された記録媒体２２０における識別情報を用いて、無線通信が行われる（Ｓ１０３）。
【０１４８】
これにより、複雑な設定が行われなくても、携帯電話等と同様に、記録媒体２２０を利用して無線通信を行うことが可能である。したがって、容易に、広範な通信ネットワーク１０２を介して通信を行うことが可能である。
【符号の説明】
【０１４９】
１１１  照明装置
２０２  電池
２０３  切り替え部
２０５  検出部
２０６  取り付け部
２０７  照明部
２１０  通信部
２２０  記録媒体
３００  電源
３０１  通信装置（第１通信装置）
３０２  通信装置（第２通信装置）
【図１】
2016170987.tif 000003
【図２】
2016170987.tif 000004
【図３】
2016170987.tif 000005
【図４】
2016170987.tif 000006
【図５】
2016170987.tif 000007
【図６】
2016170987.tif 000008
【図７】
2016170987.tif 000009
【図８】
2016170987.tif 000010
【図９】
2016170987.tif 000011
【図１０】
2016170987.tif 000012
【図１１】
2016170987.tif 000013
【図１２】
2016170987.tif 000014
【図１３】
2016170987.tif 000015
【図１４】
2016170987.tif 000016
【図１５】
2016170987.tif 000017
【図１６】
2016170987.tif 000018